(57)【要約】【課題】グラウンド端子に誤動作テスト用のノイズ信号を入力し、かつ対象電気回路の真の誤動作特性に出来るだけ近い測定に基づく誤動作評価を行う。【解決手段】グラウンド端子に誤動作テスト用のノイズ信号を入力し、対象電気回路が誤動作を起こす電力の大きさの周波数特性を求める。対象電気回路の誤動作を検知する検知部の検知基準グラウンドを対象回路のグラウンドに高インピーダンスで接続する。検知部に差動入力部を設け、その一方に対象電気回路の検知対象部を、他方に前記対象回路のグラウンドをそれぞれ接続する。ノイズ源部のグラウンドを対象電気回路に電源を供給する電源回路のグラウンドから遮断する。ノイズ源部のグラウンドを対象電気回路のグラウンドから直流的に遮断する。【選択図】図９
2015001435.tif 000002
【特許請求の範囲】
【請求項１】
対象電気回路のグラウンド端子に誤動作テスト用のノイズ信号を入力し、前記対象電気回路が誤動作を起こす電力の大きさの周波数特性を求めるとともに、前記対象電気回路が誤動作を起こすかどうかを検知する検知部の検知基準グラウンドが前記対象回路のグラウンドに高インピーダンスで接続されていることを特徴とする電気回路の評価方法。
【請求項２】
前記検知部のグラウンドと前記対象回路のグラウンド間が抵抗器を介して接続されていることを特徴とする請求項１に記載の電気回路の評価方法。
【請求項３】
前記検知部のグラウンドと前記対象回路のグラウンド間がコイルを介して接続されていることを特徴とする請求項１に記載の電気回路の評価方法。
【請求項４】
前記検知部のグラウンドと前記対象回路のグラウンド間がフェライトビーズを介して接続されていることを特徴とする請求項１に記載の電気回路の評価方法。
【請求項５】
対象電気回路のグラウンド端子に誤動作テスト用のノイズ信号を入力し、前記対象電気回路が誤動作を起こす電力の大きさの周波数特性を求めるとともに、前記対象電気回路が誤動作を起こすかどうかを検知する検知部が差動入力部を有し、前記差動入力の一方に前記対象電気回路の検知対象部を、他方に前記対象回路のグラウンドをそれぞれ接続することを特徴とする電気回路の評価方法。
【請求項６】
前記対象電気回路に誤動作テスト用のノイズ信号を入力するノイズ源部のグラウンドが前記対象電気回路に電源を供給する電源回路のグラウンドから遮断されていることを特徴とする請求項１から５のいずれかに記載の電気回路の評価方法。
【請求項７】
前記対象電気回路に誤動作テスト用のノイズ信号を入力するノイズ源部のグラウンドが前記対象電気回路のグラウンドから直流的に遮断されていることを特徴とする請求項１から５のいずれかに記載の電気回路の評価方法。
【請求項８】
対象電気回路のグラウンド端子に誤動作テスト用のノイズ信号を入力し、前記対象電気回路が誤動作を起こす電力の大きさの周波数特性を求めるとともに、前記対象電気回路に誤動作テスト用のノイズ信号を入力するノイズ源部のグラウンドが前記対象電気回路に電源を供給する電源回路のグラウンドから遮断されていることを特徴とする電気回路の評価方法。
【請求項９】
対象電気回路のグラウンド端子に誤動作テスト用のノイズ信号を入力し、前記対象電気回路が誤動作を起こす電力の大きさの周波数特性を求めるとともに、前記対象電気回路に誤動作テスト用のノイズ信号を入力するノイズ源部のグラウンドが前記対象電気回路のグラウンドから直流的に遮断されていることを特徴とする電気回路の評価方法。
【請求項１０】
前記対象電気回路に誤動作テスト用のノイズ信号を入力し、前記対象電気回路が誤動作を起こす電力の大きさの周波数特性を求める評価方法は、ＤＰＩテストに準拠することを特徴とする請求項１〜請求項９のいずれか一項に記載の電気回路の評価方法。
【請求項１１】
請求項１から１０のいずれかに記載の測定方法により得られた周波数特性に関するデータと共に提供されることを特徴とする電気回路。
【発明の詳細な説明】
【技術分野】
【０００１】
本発明は、電気回路の評価方法および電気回路に関する。
【背景技術】
【０００２】
ＤＰＩ［direct RF power injection］テストでは、誤動作テスト用のノイズ信号を対象電気回路の端子にグラウンド基準で入力するのが一般的である。（特許文献１）
【０００３】
また、対象電器回路のグラウンド端子に誤動作テスト用のノイズ信号を入力する試みも提案されている。（特許文献２）
【先行技術文献】
【特許文献】
【０００４】
【特許文献１】特開２００７−２７８７８１号公報
【特許文献２】特開２００９−２１０３２２号公報
【発明の概要】
【発明が解決しようとする課題】
【０００５】
しかしながら、対象電気回路の真の誤動作特性を測定することは容易ではなく、更なる工夫が求められている。
【０００６】
本発明は、グラウンド端子に誤動作テスト用のノイズ信号を入力し、かつ、対象電気回路の真の誤動作特性に出来るだけ近い測定に基づく誤動作評価が可能な電気回路の評価方法、及び、これにより評価された電気回路を提供することを目的とする。
【課題を解決するための手段】
【０００７】
本発明に係る電気回路の評価方法は、対象電気回路のグラウンド端子に誤動作テスト用のノイズ信号を入力するとともに、対象電気回路のグラウンド端子に誤動作テスト用のノイズ信号を入力することにより対象電気回路の真の誤動作特性を測定したとはいえない状態となることに着目するとともにその諸要因を考察することにより構成したものである。
【０００８】
具体的には、本発明に係る電気回路は、そのグラウンド端子に誤動作テスト用のノイズ信号を入力し、前記対象電気回路が誤動作を起こす電力の大きさの周波数特性を求めるものであって、対象電気回路が誤動作を起こすかどうかを検知する検知部の検知基準グラウンドを前記対象回路のグラウンドに高インピーダンスで接続すること、または、対象電気回路が誤動作を起こすかどうかを検知する検知部が差動入力部を有し、その一方に対象電気回路の検知対象部を、他方に前記対象回路のグラウンドをそれぞれ接続すること、または、対象電気回路に誤動作テスト用のノイズ信号を入力するノイズ源部のグラウンドが対象電気回路に電源を供給する電源回路のグラウンドから遮断されていること、または、対象電気回路に誤動作テスト用のノイズ信号を入力するノイズ源部のグラウンドが対象電気回路のグラウンドから直流的に遮断されていること、または、上記の適宜組合せよりなることを特徴とする。また、本発明に係る電気回路は、上記のような測定方法により得られた周波数特性に関するデータと共に提供されることを特徴とする。
【０００９】
なお、本発明のその他の特徴、要素、ステップ、利点、及び、特性については、以下に続く実施形態の詳細な説明やこれに関する添付の図面によって、さらに明らかとなる。
【発明の効果】
【００１０】
本発明によれば、グラウンド端子に誤動作テスト用のノイズ信号を入力するとともに、対象電気回路の真の誤動作特性に出来るだけ近い測定に基づく誤動作評価を行なうことができる。また、これにより評価された電気回路を提供することができる。
【図面の簡単な説明】
【００１１】
【図１】ＤＰＩテストの第１構成例を示すブロック図
【図２】ＤＰＩテスト結果（誤動作電力周波数特性）の一例を示す図
【図３】Ｓパラメータ測定の一例を示す図
【図４】等価回路化の一例を示す図
【図５】ＡＣ解析の一例を示す図
【図６】誤動作電流／電圧周波数特性の一例を示す図
【図７】到達電流／電圧周波数特性との比較例を示す図
【図８】ＢＣＩテストの一構成例を示すブロック図
【図９】ＤＰＩテストの第２構成例を示すブロック図
【図１０】図９の第２構成例と他の構成例とを比較するための模式図
【図１１】ＤＰＩテストの第３構成例を示すブロック図
【発明を実施するための形態】
【００１２】
＜ＤＰＩテスト（第１構成例）＞
図１は、ＤＰＩテストの第１構成例を示すブロック図である。ＤＰＩテストは、国際電気標準会議（ＩＥＣ［international electrotechnical commission］）で標準化された半導体集積回路用ＥＭＳ［electromagnetic susceptibility］検証法の一つ（ＩＥＣ６２１３２−４）であり、被試験デバイス１０（以下、ＤＵＴ［device under test］１０と呼ぶ）のほか、ノイズ源部２０、検知部３０、コントローラ４０、バッテリ５０、及び、電源フィルタ６０などを用いて実施される。
【００１３】
ＤＵＴ１０は、対象電気回路１１（以下、ＬＳＩ１１と呼ぶ）とこれを搭載したプリント配線基板（ＰＣＢ［printed circuit board］）を含む。もちろん、ＤＵＴ１０としてＬＳＩ１１単体を用いることも可能である。なお、ＤＵＴ１０は、必ずしも実機デバイスである必要はなく、一般的には試験用の模擬デバイスを用いることが多い。
【００１４】
特に、複数ＬＳＩの相互比較（例えば、新モデルＬＳＩと旧モデルＬＳＩとの相互比較や、自社ＬＳＩと他社コンパチブルＬＳＩとの相互比較）を行う場合には、評価対象となるＬＳＩ以外の構成要素（ＰＣＢのサイズや配線パターン、ないしは、ＰＣＢに搭載されるディスクリート部品の種類や特性など）が共通化された試験用の模擬デバイスを用いることが望ましい。
【００１５】
ノイズ源部２０は、ＤＵＴ１０の端子（図１では電源端子ＶＣＣを例示）に高周波ノイズ信号（妨害波電力）を注入する主体であり、シグナルジェネレータ２１と、ＲＦアンプ２２と、双方向性結合器２３と、進行波側パワーセンサ２４と、反射波側パワーセンサ２５と、パワーメータ２６と、カップリングコンデンサ２７と、を含む。
【００１６】
シグナルジェネレータ（ＳＧ［signal generator］）２１は、正弦波状の高周波ノイズ信号を発生する。高周波ノイズ信号の発振周波数と振幅は、いずれもコントローラ４０によって制御することができる。なお、妨害波がパルスの場合、パルスジェネレータ（ＰＧ[pulse generator]）、妨害波がインパルスの場合、インパルスジェネレータ（ＩＧ[impulse generator]を用いても良い。
【００１７】
ＲＦ［radio frequency］アンプ２２は、シグナルジェネレータ２１で生成された高周波ノイズ信号を所定の利得で増幅する。
【００１８】
双方向性結合器（ＢＤＣ［bi-directional coupler］）２３は、ＲＦアンプ２２で増幅された高周波ノイズ信号をＤＵＴ１０に向かう進行波成分とＤＵＴ１０から戻ってくる反射波成分に分離する。
【００１９】
進行波側パワーセンサ２４は、双方向性結合器２３で分離された進行波成分の電力測定を行う。一方、反射波側パワーセンサ２５は、双方向性結合器２３で分離された反射波成分の電力測定を行う。なお、進行波側パワーセンサ２４及び反射波側パワーセンサ２５への各伝送線路は、いずれも疑似遮断状態（例えば、インピーダンス：５０Ω以上、電力通過特性：−２０ｄＢｍ以下）としておくことが望ましい。
【００２０】
パワーメータ２６は、進行波側パワーセンサ２４で測定された進行波電力と反射波側パワーセンサ２５で測定された反射波電力をコントローラ４０に送出する。コントローラ４０により差分演算することにより、ＤＵＴ１０に対して実際に注入された電力を算出し、その算出結果をコントローラ４０に記録する。このように、ＤＵＴ１０への注入電力は、ＤＵＴ１０からかけ離れたパワーメータ２６で測定される。従って、ＤＵＴ１０への注入電力を高精度に測定するためには、高周波ノイズ信号伝送時のケーブルロスを極力小さい値（例えば１ｄＢ以下）に低減することが望ましい。
【００２１】
カップリングコンデンサ２７は、双方向結合器２３の出力端とＤＵＴ１０との間に接続されて、直流成分をカットして交流成分（高周波ノイズ信号）のみを通過させる。なお、図１では、カップリングコンデンサ２７をノイズ源部２０の構成要素として描写したが、ＬＳＩ１１を搭載したＰＣＢ上にセラミックコンデンサを配置して代用する場合も多い。
【００２２】
検知部３０は、ＤＵＴ１０の出力波形を監視してその監視結果をコントローラ４０に送出する。検知部３０としてはオシロスコープなどを好適に用いることができる。なお、検知部３０の存在がＤＰＩテストに影響を及ぼさないように、高入力インピーダンス（１ＭΩ）の差動プローブを使用して、ＤＵＴ１０から検知部３０への伝送線路を疑似遮断状態とすることが望ましい。
【００２３】
コントローラ４０は、ＤＰＩテストを統括制御する主体である。ＤＰＩテストの実施に際して、コントローラ４０は、例えば、ＤＵＴ１０に注入される高周波ノイズ信号の発振周波数を固定したまま、高周波ノイズ信号の振幅（注入電力）を徐々に大きくしていくように、シグナルジェネレータ２１を制御する。また、コントローラ４０は、上記の振幅制御と並行して、検知部３０の監視結果に応じたＬＳＩ１１の誤動作判定（クロック信号のパルス抜けや周波数乱れ、出力電圧の規格外れ、または、通信エラーなどを起こしたか否かの判定）を行う。そして、コントローラ４０は、ＬＳＩ１１の誤動作発生時点におけるパワーメータ２６の測定値の演算結果（ＤＵＴ１０への注入電力）を取得し、これを現在設定中の発振周波数と関連付けて記憶する。以降も、コントローラ４０は、高周波ノイズ信号の発振周波数をスイープしながら上記測定を繰り返すことにより、高周波ノイズ信号の発振周波数と誤動作発生時の注入電力とを関連付けた誤動作電力周波数特性を求める。なお、コントローラ４０としては、上記測定をシーケンシャルに実施し得るパーソナルコンピュータなどを好適に用いることができる。
【００２４】
バッテリ５０は、ＤＵＴ１０に電力供給を行う直流電源である。例えば、車載用ＬＳＩをＤＰＩテストの評価対象とする場合には、バッテリ５０として車載バッテリを用いればよい。ただし、ＤＵＴ１０への直流電源としては、バッテリに限らず、商用交流電力から所望の直流電力を生成するＡＣ／ＤＣコンバータなどを用いることも可能である。
【００２５】
電源フィルタ６０は、ノイズ源部２０からバッテリ５０への伝送線路を疑似遮断状態とするための回路部であり、電源インピーダンス安定回路網６１及び６２（以下、ＬＩＳＮ［line impedance stabilization network］６１及び６２と呼ぶ）を含む。ＬＩＳＮ６１及び６２は、いずれもバッテリ５０の見かけ上のインピーダンスを安定化させる。なお、ＬＩＳＮ６１は、バッテリ５０の正極端子（＋）とＤＵＴ１０の電源端子（ＶＣＣ）との間を結ぶ電源ラインに挿入されており、ＬＩＳＮ６２は、バッテリ５０の負極端子（−）とＤＵＴ１０のＧＮＤ端子（ＶＥＥ）との間を結ぶＧＮＤラインに挿入されている。
【００２６】
＜ＤＰＩテスト結果（誤動作電力周波数特性）＞
図２は、ＤＰＩテスト結果（誤動作電力周波数特性）の一例を示す図である。なお、本図の横軸は高周波ノイズ信号の発振周波数［Ｈｚ］を示しており、縦軸は高周波ノイズ信号の注入電力［ｄＢｍ］を示している。本図では、ＤＰＩテストの結果として高周波ノイズ信号の発振周波数毎にＬＳＩ１１が誤動作を起こす限界の注入電力がプロットされている（図中の実線を参照）。すなわち、図中の実線は誤動作境界となるので、これより上側の領域（Ｉ）は誤動作領域となり、これより下側の領域（ＩＩ）は正常動作領域となる。
【００２７】
ただし、所定の最大電力（例えば３８〜４０ｄＢｍ）を注入しても誤動作を生じなかった発振周波数では、暫定的に上記最大電力がプロットされている（図中の破線を参照）。すなわち、図中の破線は正常動作保証境界となるので、これより上側の領域（ＩＩＩ）は保証外領域となり、これより下側の領域（ＩＩ）は正常動作領域となる。
【００２８】
このように、ＤＰＩテストでは、ＤＵＴ１０が誤動作を起こす限界の高周波ノイズ信号の大きさをＤＵＴ１０に注入される電力で表した誤動作電力周波数特性が求められる。ただし、背景技術の項でも述べたように、誤動作電力周波数特性は取得しやすい情報ではある反面、実際のＬＳＩ１１で生じる事象を改善するための情報としては扱いにくかった。
【００２９】
そこで、以下では、ＤＰＩテストにより上記の誤動作電力周波数特性を求めるステップに加えて、さらに、誤動作電力周波数特性からＬＳＩ１１が誤動作を起こす限界の高周波ノイズ信号の大きさをＬＳＩ１１の所定部分に流れる端子電流Ｉ＿ＬＳＩで表した誤動作電流周波数特性及びＬＳＩ１１が誤動作を起こす限界の高周波ノイズ信号の大きさをＬＳＩ１１の所定点間に現れる端子電圧Ｖ＿ＬＳＩで表した誤動作電圧周波数特性をそれぞれ求めるステップを有する電気回路の評価方法を提案する。
【００３０】
なお、当該評価方法の実施に際しては、ＤＵＴ１０とＬＳＩ１１のＳ［scattering］パラメータを測定してＬＳＩ１１の等価回路化とそのＡＣ解析を行い、さらに、その解析結果に基づいて端子電流Ｉ＿ＬＳＩと端子電流Ｖ＿ＬＳＩのＩＢ［immunity behavior］モデル化（誤動作電流周波数特性と誤動作電圧周波数特性の取得）を行う。以下では、これらの要素ステップについて順次詳細に説明する。
【００３１】
＜Ｓパラメータ測定＞
図３は、Ｓパラメータ測定の一例を示す図である。Ｓパラメータとは、ＤＵＴ１０やＬＳＩ１１の周波数特性を表すパラメータであり、回路網の電力通過特性や電力反射特性を示すものである。例えば、図３で例示したＳパラメータ｜Ｓ１１｜は、２端子対回路（４端子回路網）において、第１端子から信号を入力したときに同第１端子に反射する信号の割合（反射損失）を示している。２端子対回路では、第１端子の反射損失（｜Ｓ１１｜）以外にも、第１端子から第２端子への挿入損失（｜Ｓ２１｜）、第２端子から第１端子への挿入損失（｜Ｓ１２｜）、及び、第２端子の反射損失（｜Ｓ２２｜）が測定される。なお、ＬＳＩ１１については単体のＳパラメータを測定すればよく、ＤＵＴ１０についてはＬＳＩ実装時のＳパラメータを測定すればよい。
【００３２】
＜等価回路化＞
図４は、等価回路化の一例を示す図である。ＤＵＴ１０とＬＳＩ１１のＳパラメータから、ＬＳＩ１１とこれを搭載するＰＣＢの等価回路化を行う。等価回路化に際しては、例えば、本図で示したように、ＬＳＩ１１を抵抗Ｒ、インダクタＬ、コンデンサＣの直列回路とみなしたり、ＰＣＢを配線パターンのインダクタＬと搭載部品（コンデンサＣなど）で表したりすればよい。
【００３３】
＜ＡＣ解析＞
図５は、ＡＣ解析の一例を示す図である。ＬＳＩ１１及びこれを搭載するＰＣＢの等価回路に対してＡＣ解析を行う。なお、交流電圧Ｖｓ［Ｖｒｍｓ］を生成するＡＣ信号源としては、５０Ω系の交流電圧源を用いればよい。このとき、ＬＳＩ１１の所定部分に流れる端子電流Ｉ＿ＬＳＩ、及び、ＬＳＩ１１の所定点間に現れる端子電圧Ｖ＿ＬＳＩは、それぞれ、次の（１ａ）式及び（１ｂ）式で示すように、交流電圧Ｖｓの関数として表すことができる。
【００３４】
Ｉ＿ＬＳＩ＝ｆＩ（Ｖｓ）  …（１ａ）
Ｖ＿ＬＳＩ＝ｆＶ（Ｖｓ）  …（１ｂ）
【００３５】
また、ＡＣ信号源で生成される交流電圧ＶｓとＬＳＩ１１への注入電力Ｐｉとの間には次の（２）式が成立する。
【００３６】
Ｐｉ＝Ｖｓ２／２００  …（２）
【００３７】
従って、（２）式を（１ａ）式及び（１ｂ）式に各々代入すると、端子電流Ｉ＿ＬＳＩ及び端子電圧Ｖ＿ＬＳＩは、それぞれ、次の（３ａ）式及び（３ｂ）式で示すように、注入電力Ｐｉの関数として表すことができる。
【００３８】
Ｉ＿ＬＳＩ＝ｆＩ（Ｖｓ）＝ｆＩ（√（Ｐｉ×２００））＝ｇＩ（Ｐｉ）  …（３ａ）
Ｖ＿ＬＳＩ＝ｆＶ（Ｖｓ）＝ｆｖ（√（Ｐｉ×２００））＝ｇＶ（Ｐｉ）  …（３ｂ）
【００３９】
なお、端子電流Ｉ＿ＬＳＩが流れる所定部分としては、ＬＳＩ１１の信号入力端子、信号出力端子、信号入出力端子、電源端子、ＧＮＤ端子、放熱フィン板などを挙げることができる。特に、ＬＳＩ１１の信号入力端子に対して高周波ノイズ信号が入力されると、ＬＳＩ１１に誤動作を生じやすいので、信号入力端子の誤動作電流周波数特性や誤動作電圧周波数特性を求めることは非常に重要である。
【００４０】
＜ＩＢモデル化（誤動作電流／電圧周波数特性）＞
図６は、誤動作電流周波数特性と誤動作電圧周波数特性の一例を示す図である。先出の（３ａ）式及び（３ｂ）式にＤＰＩテストの結果（ＬＳＩ１１が誤動作を起こす限界の注入電力Ｐｉ）を代入すると、高周波ノイズ信号の発振周波数毎に、ＬＳＩ１１が誤動作を起こす限界の端子電流Ｉ＿ＬＳＩと端子電圧Ｖ＿ＬＳＩが得られる。
【００４１】
このように、本発明に係る電気回路の評価方法において、誤動作電力周波数特性は、ＤＵＴ１０についてのものであるとともに、誤動作電流周波数特性及び誤動作電圧周波数特性は、誤動作電力周波数特性からＬＳＩ１１についての周波数特性を抽出したものとなっている。その際、上記の誤動作電流周波数特性及び誤動作電圧周波数特性は、ＤＵＴ１０の誤動作電力周波数特性、ＤＵＴ１０の等価回路、及び、ＬＳＩ１１の等価回路に基づいて抽出される。
【００４２】
なお、上記の誤動作電流周波数特性及び誤動作電圧周波数特性に関するデータは、ＬＳＩ１１と共にユーザへ提供するとよい。このようなデータ提供を行うことにより、ユーザは、ＬＳＩ１１の誤動作を容易に回避することが可能となる。
【００４３】
＜到達電流／電圧周波数特性との比較＞
図７は、図６で示した誤動作電流周波数特性及び誤動作電圧周波数特性（実線）と、到達電流周波数特性及び到達電圧周波数特性（破線）との比較例を示す図である。到達電流周波数特性とは、ＬＳＩ１１を含む測定対象回路ユニットまたはその模擬ユニットに対して所定のイミュニティテスト（詳細は後述）を行なったときにＬＳＩ１１の所定部分に到達して流れる到達電流Ｉ＿ａｒｒの周波数特性である。一方、到達電圧周波数特性とは、上記のイミュニティテストを行ったときにＬＳＩ１１の所定点間に到達して現れる到達電圧Ｖ＿ａｒｒの周波数特性である。
【００４４】
このように、本発明に係る電気回路の評価方法は、先に求めたＬＳＩ１１の誤動作電流周波数特性及び誤動作電圧周波数特性をＥＭＳ評価に活用すべく、各々をＬＳＩ１１の到達電流周波数特性及び到達電圧周波数特性と比較するステップを有する。このような比較を行うことにより、例えば、図７において破線が実線を上回っている発振周波数では、ＬＳＩ１１が誤動作を生じ得ると判断することができる。また、ＬＳＩ１１の各端子毎に上記と同様の比較を行えば、誤動作を生じ得る端子を特定することができるので、速やかに回路設計を改善することが可能となる。
【００４５】
以上により、同一のＬＳＩ１１を使用している条件であれば、ＰＣＢの構造やノイズ注入方法（テスト方法）が変わったとしても、端子電流Ｉ＿ＬＳＩと端子電圧Ｖ＿ＬＳＩを算出することにより、ＬＳＩ１１が誤動作を起こすか否かを推測することが可能となる。
【００４６】
なお、ＬＳＩ１１の到達電流周波数特性及び到達電圧周波数特性は、ＬＳＩ１１を搭載する測定対象回路ユニットの等価回路または模擬ユニットの等価回路に基づいてシミュレーションで求められる。このようなシミュレーションを行う際には、測定対象回路ユニットまたはその模擬ユニットに対して、所定のイミュニティテストを行う必要がある。
【００４７】
例えば、車載用ＬＳＩを評価対象とする場合には、上記のイミュニティテストとして、ＩＳＯ１１４５２に準拠したテストを行うことが望ましい。なお、ＩＳＯ１１４５２に準拠したテストとしては、ＩＳＯ１１４５２−２に準拠した放射イミュニティテスト、ＩＳＯ１１４５２−３に準拠したＴＥＭＣＥＬＬ［transverse electromagnetic cell］テスト、及び、ＩＳＯ１１４５２−４に準拠したＢＣＩ［bulk current injection］テストなどを挙げることができる。また、イミュニティテストとしては、ＩＳＯ７６３７やＩＥＣ６１０００−４シリーズに代表される製品のイミュニティ試験に準拠したテストを採用してもよい。以下では、ＢＣＩテストを例に挙げて詳細な説明を行う。
【００４８】
＜ＢＣＩテスト＞
図８は、ＢＣＩテストの一構成例を示すブロック図である。ＢＣＩテストは、国際標準化機構（ＩＳＯ［international organization for standardization］）で標準化された車載電子機器向けの狭帯域電磁放射エネルギーによる電気的妨害のためのコンポーネント試験方法の一つ（製品用ＥＭＳ規格：ＩＳＯ１１４５２−４）である。
【００４９】
ＢＣＩテストは、ＬＳＩ１１を含む測定対象回路ユニット１００（またはその模擬ユニット）に対して実施されるテストであり、先のＤＰＩテスト（図１を参照）と同様、ＤＵＴ１０のほか、ノイズ源部２０、検知部３０、コントローラ４０、バッテリ５０、及び、電源フィルタ６０などを用いて実施される。
【００５０】
測定対象回路ユニット１００は、ＬＳＩ１１が搭載される実際の製品（実機）に相当するものであり、先出のＤＵＴ１０やバッテリ５０のほかに、ＤＵＴ１０と電源フィルタ部６０との間を電気的に接続する１．５〜２．０ｍ程度のワイヤーハーネス７０を含む。なお、ワイヤーハーネス７０にはインジェクションプローブ８０が挿入されており、ノイズ源部２０の５０Ω伝送線路２８を介してバルク電流が注入される。
【００５１】
なお、測定対象回路ユニット１００に対してＢＣＩテストを行った場合、ＬＳＩ１１の到達電流周波数特性及び到達電圧周波数特性は、測定対象回路ユニット１００の等価回路に基づいてシミュレーションで求められる。
【００５２】
一方、測定対象回路ユニット１００を簡略化した模擬ユニットに対してＢＣＩテストを行った場合、ＬＳＩ１１の到達電流周波数特性及び到達電圧周波数特性は、測定対象回路ユニット１００の等価回路と模擬ユニットの等価回路の双方に基づいてシミュレーションで求められる。
【００５３】
なお、上記の等価回路は、測定対象回路ユニット１００のＳパラメータとＬＳＩ１１のＳパラメータに基づくものである。
【００５４】
このように、本発明に係る電気回路の評価方法は、ＬＳＩ１１を含む測定対象回路ユニット１００に対して所定のイミュニティテスト（例えばＢＣＩテスト）を行なったときにＬＳＩ１１の所定部分に到達して流れる到達電流Ｉ＿ａｒｒを表わす到達電流周波数特性をＬＳＩ１１の等価回路及び測定対象回路ユニット１００の等価回路に基づいてシミュレーションで求めるステップと、同イミュニティテストを行なったときにＬＳＩ１１の所定点間に到達して現れる到達電圧Ｖ＿ａｒｒを表わす到達電圧周波数特性をＬＳＩ１１の等価回路及び測定対象回路ユニット１００の等価回路に基づいてシミュレーションで求めるステップと、を有する。
【００５５】
＜ＤＰＩテスト（第２構成例）＞
図９は、ＤＰＩテストの第２構成例を示すブロック図である。第２構成例は、先の第１構成例と基本的に同一であるが、高周波ノイズ信号をＤＵＴ１０の端子にグラウンド基準で入力するのではなく、高周波ノイズ信号をＤＵＴ１０のグラウンド端子ＶＥＥ自体に入力し、ＬＳＩ１１が誤動作を起こす電力の大きさの周波数特性（誤動作電力周波数特性）を求める点に特徴を有する。そこで、第１構成例と同様の構成要素については、図１と同一の符号を付すことで重複した説明を割愛し、以下では、第２構成例の特徴部分について重点的に説明する。
【００５６】
ＤＰＩテストの第２構成例における一つ目の特徴は、ＬＳＩ１１が誤動作を起こすかどうかを検知する検知部３０の検知基準グラウンド３０ａがＤＵＴ１０のグラウンド端子ＶＥＥに対して高インピーダンス部品３１で接続されている点である。この高インピーダンス部品３１は、抵抗器（例えば１０ｋΩ）、コイル、フェライトビーズ等で構成する。
【００５７】
ＤＵＴ１０のグランド端子ＶＥＥに高周波ノイズ信号を注入する場合、検知部３０の基準電位を得るために検知基準グラウンド３０ａをＤＵＴ１０のグラウンド端子ＶＥＥに低インピーダンスで接続してしまうと、高周波ノイズ信号が検知部３０のグラウンドに分散してしまうので、検知部３０の存在がＤＰＩテスト結果に影響を及ぼしてしまう。一方、検知部３０のグラウンドをＤＵＴ１０のグラウンド端子ＶＥＥから完全に絶縁してしまうと、ＤＵＴ１０と検知部３０のグラウンド電位が不一致となるので、出力波形の検出を正しく行うことができなくなる。
【００５８】
そこで、検知部３０の検知基準グラウンドとＤＵＴ１０のグラウンド端子ＶＥＥとの間を高インピーダンス部品３１で接続した状態（疑似遮断状態）とすることにより、検知部３０に向けた高周波ノイズ信号のリークを低減することができるので、上記の問題を解消することが可能となる。
【００５９】
ＤＰＩテストの第２構成例における二つ目の特徴は、ＤＵＴ１０に誤動作テスト用の高周波ノイズ信号を入力するノイズ源部２０のグラウンド２０ａがＤＵＴ１０のグラウンドＶＥＥから直流的に遮断されている点である。つまり、グラウンド２０ａは、グラウンドＶＥＥとは別ノードとなっている。このような構成を採用することにより、ノイズ源部２０のグラウンドＶＥＥに向けた高周波ノイズ信号のリークを防止することが可能となる。
【００６０】
ＤＰＩテストの第２構成例における三つ目の特徴は、ＤＵＴ１０に誤動作テスト用の高周波ノイズ信号を入力するノイズ源部２０のグラウンド２０ａが、ＤＵＴ１０に電力供給を行うバッテリ５０等の直流電源系のグラウンド５０ａと別ノードとなっていて遮断されている点である。
【００６１】
図９に示すように、ノイズ源部２０のグラウンド２０ａは、共通グラウンドとなっていて、コントローラ４０および検知部３０のシステムグラウンドと共通電位に置かれる。
【００６２】
なお、上記の誤動作電力周波数特性に関するデータは、ＬＳＩ１１と共にユーザへ提供するとよい。このようなデータ提供を行うことにより、ユーザは、当該データをＬＳＩ１１の誤動作回避に活用することが可能となる。
【００６３】
図１０は、図９の第２構成例と他の構成例とを比較するための模式図である。（Ｘ）欄には、第１構成例と同様、グラウンド基準でＬＳＩの出力端子ＯＵＴ１に高周波ノイズ信号を注入する構成が描写されている。（Ｙ）欄には、アンテナからシャーシに向けて妨害電波を放出することでＬＳＩのグラウンド端子ＶＥＥに高周波ノイズ信号を注入する構成が描写されている。（Ｚ）欄には、第２構成例と同様、ＬＳＩのグラウンド端子ＶＥＥ自体に高周波ノイズ信号を注入する構成が描写されている。
【００６４】
（Ｘ）欄で示した構成では、ＬＳＩのグラウンド端子ＶＥＥ以外の端子に高周波ノイズ信号を注入した場合の誤動作しか評価することができない。
【００６５】
（Ｙ）欄で示した構成であれば、ＬＳＩのグラウンド端子ＶＥＥに高周波ノイズ信号を注入した場合の誤動作を評価することができる。ただし、このような構成では、シャーシの存在がＤＰＩテストの結果に影響を及ぼしてしまう。
【００６６】
（Ｚ）欄で示した構成であれば、シャーシの影響を受けることなく、ＬＳＩのグラウンド端子ＶＥＥに高周波ノイズ信号を注入した場合の誤動作を評価することができる。
【００６７】
＜ＤＰＩテスト（第３構成例）＞
図１１は、ＤＰＩテストの第３構成例を示すブロック図である。第３構成例も第２構成例と同様にして、高周波ノイズ信号をＤＵＴ１０のグラウンド端子ＶＥＥ自体に入力し、ＬＳＩ１１が誤動作を起こす電力の大きさの周波数特性（誤動作電力周波数特性）を求めるものである。第２構成例と同様の構成要素については、図９と同一の符号を付すことで重複した説明を割愛し、以下では、第３構成例の特徴部分について重点的に説明する。
【００６８】
ＤＰＩテストの第３構成例では、検知部３０が高入力インピーダンス（例えば１ＭΩ）の差動入力部３０ｂを有し、その一方の入力である第１差動入力３０ｂ１にＤＵＴ１０の検知対象部が接続される。一方、差動入力部３０ｂの他方の入力である第２差動入力３０ｂ２にはＤＵＴ１０のＧＮＤ端子（ＶＥＥ）が接続される。これによって、ＤＵＴ１０から検知部３０への結合が疑似遮断状態となり、検知部３０の存在がＤＰＩテストに影響を及ぼさないようにすることができる。なお、第３構成例の検知部３０においては、ＤＵＴ１０と検知部３０の検知基準グラウンド電位を一致させる必要がないので、検知部３０のグラウンドをＤＵＴ１０のグラウンド端子ＶＥＥから完全に絶縁してよく、検知基準グラウンド３０ａは適宜の電位に接続される。
【００６９】
＜その他の変形例＞
なお、本明細書中に開示されている種々の技術的特徴は、上記実施形態のほか、その技術的創作の主旨を逸脱しない範囲で種々の変更を加えることが可能である。すなわち、上記実施形態は、全ての点で例示であって制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００７０】
本発明は、例えば、車載用ＬＳＩのＥＭＳ検証を行う際に利用することが可能である。
【符号の説明】
【００７１】
１０    被試験デバイス（ＤＵＴ）
１１    対象電気回路（ＬＳＩ）
２０    ノイズ源部
２１    シグナルジェネレータ
２２    ＲＦアンプ
２３    双方向性結合器
２４    進行波側パワーセンサ
２５    反射波側パワーセンサ
２６    パワーメータ
２７    カップリングコンデンサ
２８    ５０Ω伝送線路
３０    検知部（オシレータなど）
３１    高インピーダンス部品
４０    コントローラ（パソコンなど）
５０    バッテリ
６０    電源フィルタ
６１、６２    電源インピーダンス安定回路網（ＬＩＳＮ）
７０    ワイヤーハーネス
８０    インジェクショントランス
【図１】
2015001435.tif 000003
【図２】
2015001435.tif 000004
【図３】
2015001435.tif 000005
【図４】
2015001435.tif 000006
【図５】
2015001435.tif 000007
【図６】
2015001435.tif 000008
【図７】
2015001435.tif 000009
【図８】
2015001435.tif 000010
【図９】
2015001435.tif 000011
【図１０】
2015001435.tif 000012
【図１１】
2015001435.tif 000013